(57)【要約】      （修正有）【課題】通信端末装置と周辺装置が通信処理を継続している場合に、通信制御部以外の電源をオフにしても処理が継続可能な通信端末装置を提供する。【解決手段】ネットワーク１０３を介した情報処理装置１０２と周辺機器との通信処理を仲介する通信制御部１０６と、通信端末１０１自身の機能を行う端末機能部１０８と、通信制御部と端末機能部を個別に通電する電源制御部１０７と、を有し、端末機能部を非通電状態にした後も、通信制御部を通電状態にし、ネットワークを介した情報処理装置と周辺機器との通信処理を継続する。【選択図】図１
2011028528.tif 000002
【特許請求の範囲】
【請求項１】
通信端末装置であって、
ネットワークを介した情報処理装置、および周辺機器と接続し、その通信処理を仲介する通信制御部と、
通信端末自身の機能をつかさどる端末機能部と、
通信制御部と端末機能部を個別に通電する電源制御部と、を有し、
端末機能部を非通電状態にした後も、通信制御部を通電状態にし、ネットワークを介した情報処理装置と周辺機器との通信処理を継続する、ことを特徴とする通信端末装置。
【請求項２】
通信端末装置であって、
ネットワークを介した情報処理装置、および周辺機器と接続し、その通信処理を仲介する通信制御部と、
通信端末自身の機能をつかさどる端末機能部と、
通信制御部と端末機能部を個別に通電する電源制御部と、を有し、
ネットワークを介した情報処理装置と周辺機器との通信処理が終了すると、端末機能部の通電状態に従い、通信端末装置全体の通電状態を決定する、ことを特徴とする通信端末装置。
【請求項３】
請求項２に記載の通信端末装置であって、
通信端末装置全体を非通電状態に移行する前に、前記周辺装置を非通電状態または待機状態になるべく制御する、ことを特徴とする通信端末装置。
【請求項４】
請求項１、または２に記載の通信端末装置であって、
端末機能部を非通電状態に移行する前に、ＨＤＭＩ−ＣＥＣを用いて映像表示装置を非通電状態、または待機状態になるべく制御する、ことを特徴とする通信端末装置。
【請求項５】
通信端末装置の通電制御方法であって、
通信制御部によりネットワークを介した情報処理装置と周辺機器との通信処理を仲介し、
端末機能部により端末自身の機能をつかさどり、
電源制御部により通信制御部と端末機能部を個別に通電し、
端末機能部を非通電状態にした後も、通信制御部を通電状態にし、ネットワークを介した情報処理装置と周辺機器との通信処理を継続する、ことを特徴とする通電制御方法。
【請求項６】
通信端末装置の通電制御方法であって、
通信制御部によりネットワークを介し接続した情報処理装置、および周辺機器との通信処理を仲介し、
端末機能部により端末自身の機能をつかさどり、
電源制御部により通信制御部と端末機能部を個別に通電し、
ネットワークを介した情報処理装置と周辺機器との通信処理が終了すると、端末機能部の通電状態に従い、情報通信端末の通電状態を決定する、ことを特徴とする通電制御方法。
【発明の詳細な説明】
【技術分野】
【０００１】
本発明は、外部接続機器を使用可能なシンクライアントに関するものである。
【背景技術】
【０００２】
近年、企業においてデータ漏洩防止や端末コストの削減を目的としたシンクライアントの導入が進んでいる。シンクライアントシステムは端末本体にＨＤＤ等の記憶装置を備えず、遠隔ホストコンピュータに操作情報を送信し、端末では画面表示のみを行うものである。
特許文献１では、シンクライアントに接続したＵＳＢ周辺機器を遠隔ホストコンピュータから使用する方法が報告されている。
【０００３】
また、インターネットやホームネットワークの普及に伴い、通信機能を有するＡＶ機器が製品化されており、特許文献２では、ネットワーク動作時における機器の通電制御方法が報告されている。
【先行技術文献】
【特許文献】
【０００４】
【特許文献１】特開２００８−２１０１１５
【特許文献２】特開２００８−９８７９１
【発明の概要】
【発明が解決しようとする課題】
【０００５】
従来の技術では、シンクライアントで周辺機器を使用することは可能だが、シンクライアントと周辺機器の通電制御は一体で行われていた。また、ネットワーク動作における通電制御は、装置の動作状態に従って通電制御を行うのみであり、遠隔ホストコンピュータと周辺機器の動作状況に従った通電制御ができなかった。
【課題を解決するための手段】
【０００６】
ネットワークを介した情報処理装置と周辺機器との通信処理を仲介する通信制御部と、
通信端末自身の機能を行う端末機能部と、通信制御部と端末機能部を個別に通電する電源制御部と、を有し、端末機能部を非通電状態にした後も、通信制御部を通電状態にし、ネットワークを介した情報処理装置と周辺機器との通信処理を継続する。
【発明の効果】
【０００７】
本発明によれば、周辺装置が動作中でもユーザは通信端末装置の電源を操作可能であり、本体を電源オフしても周辺装置の処理が継続可能である。
【図面の簡単な説明】
【０００８】
【図１】第一の実施例を実現した装置の構成図の例である。
【図２】第二の実施例を実現した情報通信システムの構成図の例である。
【図３】第一の実施例における動作シーケンスの例である。
【図４】第一の実施例におけるフローチャートの例である。
【図５】第一の実施例におけるフローチャートの例である。
【図６】第二の実施例を実現したハードウェア構成図の例である。
【図７】第二の実施例を実現したハードウェア構成図の例である。
【発明を実施するための形態】
【０００９】
図面を用いて実施例を説明する。
【実施例１】
【００１０】
図１は本発明を実現した情報通信端末の構成図の例である。
通信端末装置１０１は、電源制御部１０７と、電源制御部１０７と接続され独立に通電制御可能な通信制御部１０６と端末機能部１０８からなる。通信制御部１０６は、情報処理装置１０２とネットワーク１０３を介し通信を行う通信部１０９と、外部接続装置１０４と接続線１０５を介しデータ入出力を行う周辺機器接続部１１０と、通信部１０９の入出力データと周辺機器接続部１１０の入出力データを相互に変換するデータ変換部１１１からなる。
【００１１】
通信制御部１０６は、情報処理装置１０２と外部接続装置１０４の情報入出力を仲介する。
端末機能部１０８は、通信端末装置１０１本体の処理を行う。電源制御部１０７は、通信制御部１０６と端末機能部１０８を個別に通電制御を行う。以上の構成により、情報処理装置１０２と外部接続装置１０４が動作中の場合、通信制御部１０６のみ通電することにより、端末機能部１０８を非通電状態にすることが可能である。
【００１２】
図３は第一の実施例における動作シーケンスである。
ユーザの操作により、通信端末装置１０１は、外部接続装置１０４の処理開始を情報処理装置１０２に通知する。（Ｓ１０１）
情報処理装置１０２は、外部接続装置１０４の処理を開始する。（Ｓ１０２）
情報処理装置１０２は、外部接続装置１０４の処理を終了（Ｓ１０３）すると、通信端末装置１０１に処理が終了したことを通知する。（Ｓ１０４）
図４は第一の実施例における処理終了通知受信時のフローチャートの例である。
通信端末装置１０１は、情報処理装置１０２から処理終了通知を受信（Ｓ２０１）すると、端末機能部１０８が通電状態であるか否かによりユーザが操作中であるか判断（Ｓ２０２）する。端末機能部１０８が通電状態である、すなわちユーザ操作中である場合、何もせず終了する。端末機能部１０８が非通電状態である、すなわちユーザ操作中でない場合、通信制御部１０６を含む通信端末装置１０１全体を非通電状態にする。（Ｓ２０３）
なお、通信端末装置１０１に処理が終了したことを通知する替わりに通信制御部１０６で通信が処理のための通信が行われているか否かを監視する方法もある。
【００１３】
図５は第一の実施例におけるユーザによる電源オフ時のフローチャートの例である。
通信端末装置１０１は、ユーザによる電源オフを検知（Ｓ３０１）すると、外部接続装置１０４が処理中か否か、判断する。（Ｓ３０２）外部接続装置１０４が処理中か否かの判断は、通信制御部１０６が通電状態であるか否か、あるいはデータ変換部が処理を行っているか否かにより判断する。なお、外部接続装置１０４が処理中か否かの判断は他の方法でも良く、上記の限りではない。
【００１４】
外部接続装置１０４が処理中の場合、端末機能部１０８のみ非通電状態（Ｓ３０３）にし、処理中でない場合、通信制御部１０６を含む通信端末装置１０１全体を非通電状態にする。（Ｓ３０４）
本実施例によれば、通信端末装置１０１をユーザが電源オフしても、情報処理装置１０２は外部接続装置１０４を用いた処理を継続できる。また、情報処理装置１０２の処理が終了すると、通信端末装置１０１を非通電状態にすることができる。必要に応じた通電制御を行うことにより、通信端末装置１０１の消費電力を低減することができる。
【実施例２】
【００１５】
図２は第二の実施例を実現した情報通信システムの構成図である。
シンクライアント２０１は、インターネット２０３を介しホストコンピュータ２０２と接続され、プリンタ２０４とＵＳＢケーブル２０５を介し接続されている。
テレビ２０６は、インターネット２０３を介しホストコンピュータ２０２と接続され、プリンタ２０４とＵＳＢケーブル２０５を介し接続されている。
【００１６】
ユーザはシンクライアント２０１、あるいはテレビ２０６を操作し、プリンタ２０４での印刷処理をインターネット２０３を介し、ホストコンピュータ２０２へ通知する。ホストコンピュータ２０２は、インターネット２０３および、シンクライアント２０１あるいはテレビ２０６を介し、プリンタ２０４へ印刷処理を行う。プリンタ２０４の印刷処理中にユーザはシンクライアント２０１あるいはテレビ２０６の電源をオフすると、シンクライアント２０１あるいはテレビ２０６はホストコンピュータ２０２との通信、プリンタ２０４とのデータ入出力に必要な回路のみ通電し、他の回路は非通電状態にする。
【００１７】
ホストコンピュータ２０２とプリンタ２０４による印刷処理が終了すると、ホストコンピュータ２０２はシンクライアント２０１あるいはテレビ２０６に処理終了を通知する。シンクライアント２０１あるいはテレビ２０６は処理終了通知を受信すると、ホストコンピュータ２０２との通信、プリンタ２０４とのデータ入出力に必要な回路を含む装置全体を非通電状態にする。
【００１８】
図６は第二の実施例におけるシンクライアント２０１のハードウェア構成図である。
ＣＰＵ３０１にはチップセット３０２を介してメモリ３０３、ＬＡＮコントローラ３０６、ＵＳＢコントローラ３０７、ディスプレイ３０４、スピーカ３０８がバス３０５で接続されている。
【００１９】
ＬＡＮコントローラ３０６は、インターネット２０３を介し、ホストコンピュータ２０２と接続される。ＵＳＢコントローラ３０７はＵＳＢケーブル２０５を介しプリンタ２０４と接続される。シンクライアント２０１はディスプレイ３０４、スピーカ３０８により処理画面、音声をユーザに通知する。メモリ３０３に展開され、ＣＰＵ３０１で動作するプログラムをユーザが操作することにより、ＬＡＮコントローラ３０６からインターネット２０３を介し、ホストコンピュータ２０２に対し、プリンタ２０４での印刷処理を通知する。なお、ユーザの操作はマウス、キーボード（図示せず）等を用いて行う。
【００２０】
ホストコンピュータ２０２からプリンタ２０４への処理は、インターネット２０３を介しＬＡＮコントローラ３０６へＩＰパケットで通知され、ＣＰＵ３０１で動作するプログラムによるＵＳＢフォーマットに変換した後に、ＵＳＢコントローラ３０７からＵＳＢケーブル２０５を介しプリンタ２０４に出力する。
【００２１】
例えばエラーなどのプリンタ２０４の動作状態は、ＵＳＢケーブル２０５を介し、ＵＳＢコントローラ３０７へＵＳＢフォーマットで入力され、ＣＰＵ３０１で動作するプログラムによりＩＰパケットに変換した後に、ＬＡＮコントローラ３０６からインターネット２０３を介し、ホストコンピュータ２０２に出力する。
【００２２】
ホストコンピュータ２０２とプリンタ２０４が処理中にユーザが電源オフの操作を行った場合、ＣＰＵ３０１で動作するプログラムは、ＬＡＮ接続とＵＳＢ接続、ＩＰパケットとＵＳＢフォーマット変換を行う回路のみ通電し、他の回路、例えばディスプレイ３０４、スピーカ３０８を非通電状態、あるいは非表示、非出力状態にする。
【００２３】
ホストコンピュータ２０２とプリンタ２０４の処理が終了すると、ホストコンピュータ２０２からインターネット２０３を介しＬＡＮコントローラ３０６へ処理終了通知を示すＩＰパケットが入力され、ＣＰＵ３０１で動作するプログラムは処理終了を検知し、シンクライアント２０１全体を非通電状態にする。なお、非通電状態にする前にＵＳＢコントローラ３０７からＵＳＢケーブル２０５を介し、プリンタ２０４に対し、電源オフあるいは待機状態への移行通知を行っても良い。
【００２４】
以上により、プログラムによる通電制御を行うことで、ユーザがシンクライアント２０１の電源をオフしても、ホストコンピュータ２０２とプリンタ２０４は処理を継続でき、処理が終了するとシンクライアント２０１全体を非通電状態することが可能である。さらに、ＵＳＢケーブル２０５を介し、プリンタ２０４に対し、電源オフあるいは待機状態への移行通知することにより、外部機器を非通電状態にすることが可能となる。
【００２５】
図７は第二の実施例におけるテレビ２０６のハードウェア構成図である。
ＣＰＵ３０１には、メモリバスを介しメモリ３０３が接続されるとともに、バス３０５を介し、ディスプレイ３０４、ＬＡＮコントローラ３０６、ＵＳＢコントローラ３０７、スピーカ３０８、グラフィック３１０、デコーダ３１１、チューナー３１２、リモコン入力受信部３１３が接続されている。
【００２６】
ディスプレイ３０４、スピーカ３０８、グラフィック３１０、デコーダ３１１、チューナー３１２はバス３０５を介し制御され、データは個別のバスで受け渡しを行う。
【００２７】
テレビ２０６の動作はメモリ３０３に展開され、ＣＰＵ３０１で動作するプログラムにより制御される。チューナー３１２で選局し受信した放送波は、デコーダ３１１でデコードし、デコードした映像はグラフィック３１０に入力され、画像処理が行われた後、ディスプレイ３０４で表示し、デコードした音声はスピーカ３０８から出力される。
【００２８】
ユーザ操作はリモコン（図示せず）を用いて、リモコン入力受信部３１３に入力され、ＣＰＵ３０１で動作するプログラムにより検知され、処理される。ＬＡＮコントローラ３０６、ＵＳＢコントローラ３０７の動作は図６で説明した内容と同一なので省略する。
【００２９】
ホストコンピュータ２０２とプリンタ２０４が処理中にユーザが電源オフの操作を行った場合、リモコン入力受信３１３からＣＰＵ３０１で動作するプログラムに電源オフが通知され、ＬＡＮ接続とＵＳＢ接続、ＩＰパケットとＵＳＢフォーマット変換を行う回路のみ通電し、他の回路、例えばディスプレイ３０４、スピーカ３０８、グラフィック３１０、デコーダ３１１、チューナー３１２を非通電状態にする。なお、テレビ２０６のディスプレイ３０４とその他の部位がＨＤＭＩ（High-Definition Multimedia Interface）（Ｒ）で接続されている場合、ＨＤＭＩ−ＣＥＣ（Consumer Electronics Control）コマンドを用い、ディスプレイ３０４を非通電状態にすることも可能である。
【００３０】
ホストコンピュータ２０２とプリンタ２０４の処理が終了すると、ホストコンピュータ２０２からインターネット２０３を介しＬＡＮコントローラ３０６へ処理終了通知を示すＩＰパケットが入力され、ＣＰＵ３０１で動作するプログラムは、テレビ２０６全体を非通電状態にする。
【００３１】
以上により、ユーザがテレビ２０６の電源をオフしても、ホストコンピュータ２０２とプリンタ２０４は処理を継続でき、処理が終了するとテレビ２０６全体を非通電状態することが可能である。さらに、ＨＤＭＩ−ＣＥＣコマンドを用い、ディスプレイ３０４に対し、電源オフあるいは待機状態への移行通知することにより、外部接続されたディスプレイを非通電状態にすることが可能となる。
【００３２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることことが可能である。
【００３３】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３４】
１０１            通信端末装置
１０２            情報処理装置
１０３            ネットワーク
１０４            外部接続装置
１０５            接続線
１０６            通信制御部
１０７            電源制御部
１０８            端末機能部
１０９            通信部
１１０            周辺機器接続部
１１１            データ変換部
２０１            シンクライアント
２０２            ホストコンピュータ
２０３            インターネット
２０４            プリンタ
２０５            ＵＳＢケーブル
２０６            テレビ
３０１            ＣＰＵ
３０２            チップセット
３０３            メモリ
３０４            ディスプレイ
３０５            バス
３０６            ＬＡＮコントローラ
３０７            ＵＳＢコントローラ
３０８            スピーカ
３１０            グラフィック
３１１            デコーダ
３１２            チューナー
３１３            リモコン入力受信部
【図１】
2011028528.tif 000003
【図２】
2011028528.tif 000004
【図３】
2011028528.tif 000005
【図４】
2011028528.tif 000006
【図５】
2011028528.tif 000007
【図６】
2011028528.tif 000008
【図７】
2011028528.tif 000009